【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
ツールシステムであって、
基部、前記基部に連結された保持壁、および上縁部を有する液体収容容器であって、前記基部および前記上縁部は容器高さを画定する、液体収容容器と、
入れ子構成を呈するように前記保持壁と着脱可能に係合可能なディヒューザカートリッジと、
ツールであって、
下部区画であって、
前記ディヒューザカートリッジに対して形状において相補的な空洞を有し、かつ、前記ディヒューザカートリッジの一部を受け入れて前記ディヒューザカートリッジと選択的に係合されるように適合された第１の端部であって、前記第１の端部は、
端面と、
前記端面から延在する内面と、
前記端面から延在する外面と、
前記端面から第１の方向に、かつ前記内面から前記外面に向かって第２の方向に延在する通路であって、前記通路は、軸方向区画および半径方向区画を有し、前記半径方向区画は、前記端面から離間されており、かつ、第１の幅のものである第１の部分、および前記第１の幅よりも大きい第２の幅のものである第２の部分を含み、前記第１の部分は、前記第２の部分と前記軸方向区画との間に位置づけられ、かつ、前記端面から離間されている凸表面により形成される、通路と、
を有する、第１の端部と、
下部区画コネクタを有する第２の端部と、
を有する、下部区画と、
前記下部区画から離れている中間区画であって、前記中間区画は、
前記下部区画コネクタと係合するように適合された第１の中間コネクタと、
第２の中間コネクタと、
を有する、中間区画と、
前記下部区画および前記中間区画から離れている上部区画であって、前記上部区画は、
前記第２の中間コネクタと係合するように適合された上部区画コネクタ
を有する、上部区画と、
を有する、ツールであり、
前記下部区画、前記中間区画、および前記上部区画のうち少なくとも１つは、その中に形成された溝穴を含み、
前記下部区画、前記中間区画、および前記上部区画のうち少なくとも１つは、前記下部区画、前記中間区画、および前記上部区画のうち別の１つの溝穴内に延在可能であるような大きさにされかつ構成された突起を含み、
前記中間区画は、前記ツールが組み立てられた構成にあるときに前記下部区画および前記上部区画に接続され、前記ツールは、前記ディヒューザカートリッジの端面および前記ツールの上部区画の一部が集合的に前記容器高さより大きい操作長を画定するような大きさにされかつ構成される、
ツールと、
を備える、ツールシステム。
【請求項２】
前記ツールの上部区画は、前記上部区画コネクタの反対側の拡張端部を含み、前記拡張端部は、ユーザにより把持可能であるような大きさにされかつ構成される、請求項１に記載のツールシステム。
【請求項３】
前記ツールは、前記第１の端部が前記ディヒューザカートリッジに係合されるときに、前記ディヒューザカートリッジからかつ前記液体収容容器の上縁部を超えて延在するような大きさにされかつ構成される、請求項１に記載のツールシステム。
【請求項４】
前記ツールの下部区画、中間区画、および上部区画は、プラスチック材質から形成されている、請求項１に記載のツールシステム。
【請求項５】
前記ツールの中間区画、および前記ツールの上部区画および下部区画の部分はそれぞれ、互いに等しい外径をそれぞれ画定する、請求項１に記載のツールシステム。
【請求項６】
前記通路は、前記内面から完全に前記外面へ前記第２の方向に延在する、請求項１に記載のツールシステム。
【請求項７】
ツールシステムであって、
基部および容器高さを画定する上縁部、および前記基部に連結された保持壁を有する液体収容容器と、
入れ子構成を呈するように前記保持壁と着脱可能に係合可能なディヒューザカートリッジと、
ツールであって、
前記ディヒューザカートリッジと選択的に係合されるように適合された第１の端部、およびユーザにより把持可能であるように適合された第２の端部を有する細長形のツール本体であって、前記第１の端部は、
端面と、
前記端面から延在する内面と、
前記端面から延在する外面と、
前記端面から第１の方向に、かつ前記内面から前記外面に向かって第２の方向に延在する通路であって、前記通路は、軸方向区画および半径方向区画を有し、前記半径方向区画は、前記端面から離間されており、かつ、第１の幅のものである第１の部分、および前記第１の幅よりも大きい第２の幅のものである第２の部分を含み、前記第１の部分は、前記第２の部分と前記軸方向区画との間に位置づけられ、かつ、前記端面から離間されている凸表面により形成される、通路と、
を有する、ツール本体と、
前記第１の端部が前記ディヒューザカートリッジと係合されるときに、前記ディヒューザカートリッジの一部を受け入れるように適合された空洞と、
を有する、ツールであり、
前記細長形のツール本体は、互いと協働して係合可能な複数の本体区画を含み、前記複数の本体区画のうち第１のものは通路を含み、前記複数の本体区画のうち第２のものは、前記複数の本体区画のうち第１のものを前記複数の本体区画のうち第２のものに係合させるべく前記通路内に受け入れられるように構成された突起を含み、
前記細長形のツール本体は、前記ディヒューザカートリッジが前記入れ子構成にあるときに前記第１の端部が前記ディヒューザカートリッジと係合されるときに、前記ディヒューザカートリッジからかつ前記液体収容容器の上縁部を超えて延在するような大きさにされかつ構成される、
ツールと、
を備える、ツールシステム。
【請求項８】
前記複数の本体区画は、前記複数の本体区画が互いから着脱される係脱された構成と、前記複数の本体区画が互いに相互接続される組み立てられた構成との間で選択的に移り変わる、請求項７に記載のツールシステム。
【請求項９】
前記複数の本体区画のうち隣接するものは、ある本体区画の別の本体区画に対する相対的な回転を介して互いと係合されるようになるように適合される、請求項７に記載のツールシステム。
【請求項１０】
前記細長形のツール本体は、プラスチック材質で形成されている、請求項１に記載のツールシステム。
【請求項１１】
前記通路は、前記内面から完全に前記外面へ前記第２の方向に延在する、請求項７に記載のツールシステム。
【請求項１２】
ツールシステムであって、
ディヒューザカートリッジと、
基部、口、および前記基部に連結された保持壁を有するボトルであって、前記ディヒューザカートリッジは、入れ子構成を呈するように前記保持壁と着脱可能に係合可能であり、長さは、前記ディヒューザカートリッジの上部から、前記基部に取り付けられるときに、前記ボトルの口へ伸びる距離として画定される、ボトルと、
第１の端部が前記ディヒューザカートリッジと係合されるときに、前記ディヒューザカートリッジの一部を受け入れるように適合された凹部を有する前記第１の端部を有する細長形のツール本体であって、前記第１の端部は、端面、内面、および外面を有し、前記内面および前記外面の両方は、前記端面から延在する、ツール本体と、
を備える、ツールシステムであり、
前記細長形のツール本体は、前記端面および前記内面から延在する通路を有し、前記通路は、前記ディヒューザカートリッジの一部を受け入れるように構成され、前記通路は、軸方向区画および半径方向区画を有し、前記半径方向区画は、第１の幅のものである第１の部分、および前記第１の幅よりも大きい第２の幅のものである第２の部分を含み、前記第１の部分は、前記第２の部分と前記軸方向区画との間に位置づけられ、かつ、前記端面から離間されている前記ツール本体の凸表面により形成され、
前記細長形のツール本体は、第２の手把持端を有し、
前記細長形のツール本体は、前記長さより大きい、前記把持端から前記第１の端部へ伸延在する長さを有する、ツールシステム。
【請求項１３】
前記ツール本体は、互いと協働して係合可能な複数の本体区画を含む、請求項１２に記載のツールシステム。
【請求項１４】
前記複数の本体区画は、前記複数の本体区画が互いから着脱される係脱された構成と、前記複数の本体区画が互いに相互接続される組み立てられた構成との間で選択的に移り変わる、請求項１３に記載のツールシステム。
【請求項１５】
前記複数の本体区画のうち隣接するものは、ある本体区画の別の本体区画に対する相対的な回転を介して互いと係合されるようになるように適合される、請求項１３に記載のツールシステム。
【請求項１６】
前記複数の本体区画のうち第１のものは、その中に形成された通路を含み、前記複数の本体区画のうち第２のものは、前記複数の本体区画のうち第１のものを前記複数の本体区画のうち第２のものに係合させるべく前記通路内に受け入れられるように構成された突起を含む、請求項１３に記載のツールシステム。
【請求項１７】
前記突起および前記通路は、前記突起が前記複数の本体区画のうち第１のものおよび第２のものの相対的な並進および回転により前記通路を通って前進可能であるように構成される、請求項１６に記載のツールシステム。
【請求項１８】
前記細長形のツール本体は、ユーザにより把持可能であるような大きさにされかつ構成される前記細長形の本体の拡張端部を画定するように、中間区画から前記第２の手把持端に向かって増加する直径を含む、請求項１２に記載のツールシステム。
【請求項１９】
前記通路は、前記内面から前記外面へ延在する、請求項１２に記載のツールシステム。